(57)【特許請求の範囲】
【請求項１】
利用者ＩＤに関連付けられた利用者情報中に所定のパーソナル曲目が記憶される利用者データベースを備え、所定の利用者から不特定の利用者へのリクエスト曲を報知するリクエスト曲報知機能を備えるカラオケシステムであって、
利用者ＩＤ取得部、パーソナル曲目取得手段、リクエスト楽曲登録手段、リクエスト曲目利用者別特定手段を有するものであり、
前記利用者ＩＤ取得部は、利用者より利用者ＩＤを取得し、
前記パーソナル曲目取得手段は、前記取得したそれぞれの利用者ＩＤに基づいて、少なくとも、前記利用者データベースより前記パーソナル曲目を取得し、
前記リクエスト楽曲登録手段は、所定の利用者に不特定の利用者へのリクエスト楽曲を登録させて登録リクエスト楽曲リストを作成し、
前記リクエスト曲目利用者別特定手段は、利用者別に、前記取得したパーソナル曲目のうちの前記登録リクエスト楽曲リストに存在する楽曲を抽出してリクエストリストを選曲可能に作成する、
ことを特徴とするリクエスト曲報知機能を備えるカラオケシステム。
【請求項２】
請求項１記載のリクエスト曲報知機能を備えるカラオケシステムであって、
前記利用者データベースに記憶される利用者毎のパーソナル曲目に歌唱採点を附帯させ、
前記リクエスト曲目利用者別特定手段は、前記パーソナル曲目のうちの前記登録リクエスト楽曲リストに存在する楽曲を抽出するに際して、前記歌唱採点が所定基準値以上の楽曲を抽出してリクエストリストを選曲可能に作成する、
ことを特徴とするリクエスト曲報知機能を備えるカラオケシステム。
【請求項３】
請求項１記載のリクエスト曲報知機能を備えるカラオケシステムであって、
前記利用者データベースに記憶される利用者毎のパーソナル曲目に歌唱採点を附帯させ、
前記リクエスト曲目利用者別特定手段は、前記パーソナル曲目のうちの前記登録リクエスト楽曲リストに存在する楽曲を抽出するに際して、対象とされる楽曲が利用者間で重複する場合に前記歌唱採点が最高値の利用者から当該楽曲を抽出してリクエストリストを選曲可能に作成する、
ことを特徴とするリクエスト曲報知機能を備えるカラオケシステム。
【請求項４】
請求項１記載のリクエスト曲報知機能を備えるカラオケシステムであって、
前記利用者データベースに記憶される利用者毎のパーソナル曲目に歌唱採点を附帯させ、
前記リクエスト曲目利用者別特定手段は、前記パーソナル曲目のうちの前記登録リクエスト楽曲リストに存在する楽曲を抽出するに際して、前記歌唱採点が所定基準値以上であり、かつ、対象とされる楽曲が利用者間で重複する場合に最高値の利用者から当該楽曲を抽出してリクエストリストを選曲可能に作成する、
ことを特徴とするリクエスト曲報知機能を備えるカラオケシステム。
【発明の詳細な説明】
【技術分野】
【０００１】
本発明は、所定の利用者がリクエストする楽曲を歌唱可能な利用者に報知するリクエスト曲報知機能を備えるカラオケシステムに関する。
【背景技術】
【０００２】
近年、カラオケ施設や飲食店でカラオケシステムを利用するに際して、自ら歌唱するほかに、好みの楽曲を他者の歌唱で聴きたい場合もある。このような場合に、他人にはリクエストし難く、仮にリクエストする場合であっても、また一方で知人に気安くリクエストする場合であってもリクエスト曲を口頭で伝えようとしてもカラオケ利用中の大音響の中で正確に伝わらないことがあると共に、また、直接楽曲を検索しようとしてもリクエスト曲を正確に記憶していない場合には正確にリクエストできないこともある。そのため、歌唱してもらいたいリクエスト曲を正確かつ容易に報知できることが望まれ、一方で当該リクエスト曲を歌唱する利用者が歌唱可能であることが必要である。
【０００３】
従来、カラオケシステムにおいて、他者へのリクエスト楽曲であっても歌唱対象の楽曲を予め登録しておく必要がある。カラオケシステムにおけるリクエスト曲報知の文献等は不知であり、楽曲の予約登録に関する技術は以下の特許文献で開示されている。特許文献１は、携帯電話等の利用者情報端末に歌唱対象の楽曲のリストを入力し、カラオケ装置との通信により当該利用者情報端末から曲目リストをアップロードして登録することが開示されている。
【０００４】
また、特許文献２は、デュエット曲を予め登録しておくものとして、利用者ＩＤに紐付けてデュエット曲の楽曲コード毎に合唱相手のＩＤを所定数登録し、合唱相手が当該楽曲を歌唱した場合には録音しておくことで、合唱相手が同席していなくとも当該デュエット曲を合唱相手の録音再生で歌唱できることが提案されている。
【０００５】
【特許文献１】特許第３５８８５９４号公報（特開２００２−２８７７７５号公報）
【特許文献２】特開２００６−２０８９６１号公報
【発明の開示】
【発明が解決しようとする課題】
【０００６】
しかしながら、上記特許文献１，２を、他者に歌唱してもらいたいリクエスト曲を報知する場合に適用しても、上記特許文献１で開示されているものは登録した本人が歌唱するものであるから、他者がリクエスト曲を歌唱できない場合もあり、また、リクエストされているかどうかも知ることができず、結局口頭で伝えるか、リクエストする利用者に対して楽曲検索により指定せざるを得ない。
【０００７】
また、上記特許文献２においても、対応楽曲について合唱相手が予め録音しておくことを前提としていることから、合唱相手は歌唱経験があるものの、自分がリクエスト曲の歌唱対象とされているかどうかを知ることができず、結局口頭で伝えるか、リクエストする利用者に対して楽曲検索により指定せざるを得ない。
【０００８】
すなわち、何れの特許文献においても、リクエスト曲を口頭で伝えようとしてもカラオケ利用中の大音響の中で正確に伝わらないこともあり、また、直接楽曲を検索しようとしてもリクエスト曲を正確に記憶していない場合には正確にリクエストできないこともあるという問題がある。
【０００９】
そこで、本発明は上記課題に鑑みなされたもので、不特定の利用者に対して歌唱してもらいたい楽曲をリクエスト曲として正確かつ容易に報知可能なリクエスト曲報知機能を備えるカラオケシステムを提供することを目的とする。
【課題を解決するための手段】
【００１０】
上記課題を解決するために、請求項１の発明では、利用者ＩＤに関連付けられた利用者情報中に所定のパーソナル曲目が記憶される利用者データベースを備え、所定の利用者から不特定の利用者へのリクエスト曲を報知するリクエスト曲報知機能を備えるカラオケシステムであって、利用者ＩＤ取得部、パーソナル曲目取得手段、リクエスト楽曲登録手段、リクエスト曲目利用者別特定手段を有するものであり、前記利用者ＩＤ取得部は、利用者より利用者ＩＤを取得し、前記パーソナル曲目取得手段は、前記取得したそれぞれの利用者ＩＤに基づいて、少なくとも、前記利用者データベースより前記パーソナル曲目を取得し、前記リクエスト楽曲登録手段は、所定の利用者に不特定の利用者へのリクエスト楽曲を登録させて登録リクエスト楽曲リストを作成し、前記リクエスト曲目利用者別特定手段は、利用者別に、前記取得したパーソナル曲目のうちの前記登録リクエスト楽曲リストに存在する楽曲を抽出してリクエストリストを選曲可能に作成する、構成とする。
【００１１】
請求項２〜４の発明では、「前記利用者データベースに記憶される利用者毎のパーソナル曲目に歌唱採点を附帯させ、前記リクエスト曲目利用者別特定手段は、前記パーソナル曲目のうちの前記登録リクエスト楽曲リストに存在する楽曲を抽出するに際して、前記歌唱採点が所定基準値以上の楽曲を抽出してリクエストリストを選曲可能に作成する」構成であり、
「前記利用者データベースに記憶される利用者毎のパーソナル曲目に歌唱採点を附帯させ、前記リクエスト曲目利用者別特定手段は、前記パーソナル曲目のうちの前記登録リクエスト楽曲リストに存在する楽曲を抽出するに際して、対象とされる楽曲が利用者間で重複する場合に前記歌唱採点が最高値の利用者から当該楽曲を抽出してリクエストリストを選曲可能に作成する」構成であり、
「前記利用者データベースに記憶される利用者毎のパーソナル曲目に歌唱採点を附帯させ、前記リクエスト曲目利用者別特定手段は、前記パーソナル曲目のうちの前記登録リクエスト楽曲リストに存在する楽曲を抽出するに際して、前記歌唱採点が所定基準値以上であり、かつ、対象とされる楽曲が利用者間で重複する場合に最高値の利用者から当該楽曲を抽出してリクエストリストを選曲可能に作成する」構成である。
【発明の効果】
【００１２】
請求項１の発明によれば、利用者データベースよりそれぞれの利用者ＩＤに基づいてパーソナル曲目を取得し、また、所定の利用者に不特定の利用者へのリクエスト楽曲を登録させて登録リクエスト楽曲リストを作成し、利用者別に、上記取得したパーソナル曲目のうちの登録リクエスト楽曲リストに存在する楽曲を抽出してリクエストリストを選曲可能に作成する構成とすることにより、不特定の利用者に対して歌唱してもらいたい楽曲をリクエスト曲として正確かつ容易に報知させることができるものである。
【００１３】
請求項２の発明によれば、利用者データベースに記憶される利用者毎のパーソナル曲目に歌唱採点を附帯させておき、パーソナル曲目のうちの登録リクエスト楽曲リストに存在する楽曲を抽出するに際して、当該歌唱採点が所定基準値以上の楽曲を抽出してリクエストリストを選曲可能に作成する構成とすることにより、歌唱してもらいたい楽曲をリクエスト曲として歌唱能力の高い不特定の利用者に対して正確かつ容易に報知させることができるものである。
【００１４】
請求項３の発明によれば、利用者データベースに記憶される利用者毎のパーソナル曲目に歌唱採点を附帯させておき、パーソナル曲目のうちの登録リクエスト楽曲リストに存在する楽曲を抽出するに際して、対象とされる楽曲が利用者間で重複する場合に歌唱採点が最高値の利用者から当該楽曲を抽出してリクエストリストを選曲可能に作成する構成とすることにより、不特定の利用者に対して歌唱してもらいたい楽曲をリクエスト曲として重複を回避させて正確かつ容易に報知させることができるものである。
【００１５】
請求項４の発明によれば、利用者データベースに記憶される利用者毎のパーソナル曲目に歌唱採点を附帯させておき、パーソナル曲目のうちの登録リクエスト楽曲リストに存在する楽曲を抽出するに際して、歌唱採点が所定基準値以上であり、かつ、対象とされる楽曲が利用者間で重複する場合に最高値の利用者から当該楽曲を抽出してリクエストリストを選曲可能に作成する構成とすることにより、歌唱してもらいたい楽曲をリクエスト曲として重複を回避させて歌唱能力の高い不特定の利用者に対して正確かつ容易に報知させることができるものである。
【発明を実施するための最良の形態】
【００１６】
以下、本発明の最良の実施形態を図により説明する。
図１に、本発明に係るカラオケシステムの系統構成図を示す。図１（Ａ）は通信ネットワークを使用して本システムを構成させた場合のネットワーク模式図、図１（Ｂ）はホスト装置の概要ブロック構成図、図１（Ｃ）は利用者データベースの説明図である。
【００１７】
図１（Ａ）において、ホスト装置１１はカラオケシステムの一部を構成するものとして、通信ネットワーク１２を介して所定数のカラオケ演奏端末１３（１３Ａ〜１３Ｎ）を管理するものであり、相互にデータ授受自在に接続されたものである。上記通信ネットワーク１２としては、例えば、一般公衆電話回線やこれを用いたＡＤＳＬや光通信回線或いはインターネット、さらにはＬＡＮがあるが、インターネット上に構築されるＶＰＮが好ましい。
【００１８】
ホスト装置１１は、図１（Ｂ）に示すように、少なくとも送受信手段２１、制御手段２２及び利用者データベース（ＤＢ）２３を備え、当該利用者ＤＢ２３は利用者毎の利用者情報を備える。上記送受信手段２１は、各カラオケ演奏端末１３（１３Ａ〜１３Ｎ）との通信（データ授受）を行うために、通信ネットワーク１２の通信方式と整合性をとるための例えば物理的な通信用回路やプラットフォーム等のソフトウエアにより構成される。
【００１９】
上記制御手段２２は、当該ホスト装置１１を統括的に制御するもので、例えば物理的なＣＰＵであり、図示しないＲＯＭに格納されているプログラムのアルゴリズム処理を行う。ここでは、所定のカラオケ演奏端末１３より利用者ＩＤに基づいて利用者情報が要求されたときに、利用者ＤＢ２３より当該利用者ＩＤに関連付けられた基本的な情報等を当該カラオケ演奏端末１３に送出する。
【００２０】
上記利用者ＤＢ２３は、図１（Ｃ）に示すように、利用者毎に所定の情報が登録されたデータベースであり、例えば氏名、住所、ニックネーム、登録者の顔写真等のイメージファイル名などの利用者基本情報の他に、パーソナル曲目として楽曲ＩＤ、歌唱採点値が登録されているものである。当該パーソナル曲目は、歌唱の有無に拘わらず利用者自身が登録した楽曲や、過去に歌唱した楽曲ＩＤ、及びその歌唱採点値の情報を含む概念であり、ここでは歌唱履歴の楽曲ＩＤ及び歌唱採点値の情報として説明する。
【００２１】
続いて、図２に、本発明のカラオケシステムに係るカラオケ演奏端末のブロック構成図を示す。図２に示すカラオケ演奏端末１３は、主要装置としてのカラオケ演奏装置３１に有線又は無線で外部接続されるものとして、表示部３２、ミキシングアンプ３３、マイク３４、スピーカ３５を備える。また、有線又は無線で遠隔入出力端末３６が接続され、当該遠隔入出力端末３６は、図示しない主要構成の他に楽曲検索手段３７、リクエスト楽曲登録手段３８Ａ、リクエスト楽曲選曲手段３８Ｂ、利用者ＩＤ取得部３９及び端末表示部４０を備える。
【００２２】
上記表示部３２は、通常の楽曲選曲表示やカラオケ演奏時の映像、歌詞テロップを表示するもので、例えば液晶ディスプレイ（ＬＣＤ）、プラズマディスプレイ（ＰＤＰ）、その他種々のディスプレイを採用することができる。上記ミキシングアンプ３３は、カラオケ演奏装置３１より送られてくる演奏データとマイク３４からの音声信号をミキシングし、増幅してスピーカ３５より出力する。
【００２３】
上記遠隔入出力端末３６は、ユーザインタフェース機能を備えて対応のカラオケ演奏装置３１（後述の送受信部５３Ａ）に対して有線方式ないし無線方式（ＩＲ方式やブルートゥース（登録商標）機構のピコネット接続方式など）を利用してデータ授受を行うためのもので、そのための回路基板及びプログラムを備える。上記ユーザインタフェース機能としては、端末表示部４０としての液晶ディスプレイ（ＬＣＤ）とタッチセンサとを積層して入出力用とし、表示されるアイコン等に対応して当該タッチセンサにより楽曲の選択などのデータを入力することができるＧＵＩである。
【００２４】
また、遠隔入出力端末３６の備える上記楽曲検索手段３７は、上記ユーザインタフェース機能により利用者に楽曲を検索させるプログラムである。遠隔入出力端末３６の備える上記リクエスト楽曲登録手段３８Ａは、所定の利用者に不特定の利用者へのリクエスト楽曲を登録させて登録リクエスト楽曲リストを作成して、後述のカラオケ演奏装置３１のＲＡＭ４４の登録リクエスト楽曲リスト５７として記憶させるためのプログラムである（図３で詳述する）。
【００２５】
遠隔入出力端末３６の備える上記リクエスト楽曲選曲手段３８Ｂは、後述のカラオケ演奏装置３１におけるリクエスト曲目利用者別特定手段５１が作成してＲＡＭ４４の利用者別情報記憶部５５に記憶したリクエストリスト５５Ｂが端末表示部４０に表示されて利用者に選曲可能とさせるプログラムである（図６等で説明する）。
【００２６】
遠隔入出力端末３６の備える上記利用者ＩＤ取得部３９は、利用者のログイン要求で所持するＩＣカード等が提示された時に、当該ＩＣカード等から利用者ＩＤを取得して、図示しないＲＡＭに記憶させ、またカラオケ演奏装置３１に送出する。なお、利用者ＩＤ取得部３９を、カラオケ演奏装置３１に備えさせてもよい。
【００２７】
上記カラオケ演奏装置３１は、バス４１、中央制御部４２、ＲＯＭ４３、ＲＡＭ４４、楽曲ＤＢ４５、映像ＤＢ４６、再生制御部４７、Ａ／Ｄ変換部４８、音楽曲出力部４９、採点処理手段５０、リクエスト曲目利用者別特定手段５１、パーソナル曲目取得手段５２Ａを備える利用者情報取得手段５２、送受信部５３Ａ，５３Ｂ及び演奏ログ処理手段５４を適宜備える。また、ＲＡＭ４４には、所定の利用者ＩＤに関連付けられた他の利用者からのパーソナル曲目５５Ａ及びリクエストリスト５５Ｂを含む利用者別情報記憶部５５、予約待ち行列５６、登録リクエスト楽曲リスト５７及び演奏ログ記憶部５８の領域が形成される。なお、上記各構成について、本発明の要旨と直接関連しない要素部分であっても、従前のカラオケ装置においても大部分が適用可能であることを示すために、装置全体を説明する。
【００２８】
中央制御部４２は、このシステムを統括的に処理制御する物理的なＣＰＵであり、ＲＯＭ４３に記憶されているプログラムに基づくアルゴリズム処理を行う。上記ＲＡＭ４４は、後述する利用者別情報記憶部５５、予約待ち行列５６及び演奏ログ記憶部５８の領域が形成される他に、上記種々のプログラムを展開、実行させるための作業領域としての役割をなすもので、例えば半導体メモリで構成され、仮想的にハードディスク上に構築される場合をも含む概念である。
【００２９】
上記楽曲ＤＢ４５は、楽曲ＩＤ、曲名及びアーチスト名が関連付けられた楽曲テーブルを有し、楽曲ＩＤで管理される所定データ形式のカラオケ楽曲の演奏データ（ＭＩＤＩデータ）及び歌詞テロップデータが同期されて構成される楽曲データ（ファイル）について楽曲コードをファイル名としてそれぞれ格納したデータベースであり、映像ＤＢ４６に格納された当該楽曲毎の背景映像を表示するための所定数のシーン映像を割り当てる割当データが関連付けられる。当該映像ＤＢ４６は、背景映像表示のための所定数のシーン映像データを所定数格納するデータベースである。なお、この楽曲ＤＢ４５及び映像ＤＢ４６を、カラオケ演奏装置３１ではなく、上記ホスト装置１１に備えさせることとしてもよい。
【００３０】
上記再生制御部４７は、演奏時に、映像ＤＢ４６より抽出された所定数のシーン映像データ及び楽曲コードで楽曲ＤＢ４５より抽出された歌詞テロップデータ（歌詞文字データ）を当該楽曲の演奏データに同期させて表示部３２に出力する電子回路である。上記音楽曲出力部４９は、楽曲コードで楽曲ＤＢ４５より抽出された演奏データをデジタル再生し、アナログ変換してミキシングアンプ３３に出力する電子回路である。
【００３１】
上記採点処理手段５０は、任意の楽曲を歌唱した際の前記入力した歌唱音声に基づき、当該楽曲における所定の歌唱区間の歌唱による歌唱採点を算出するプログラムである。ここで、歌唱区間とは、１フレーズ単位、数フレーズ単位若しくは歌詞１文字を含む所定歌詞文字数毎をいい、任意に設定することができる。例えば採点テーブルを備え、選択された楽曲元データに基づいて音楽曲出力部４９でデジタル再生された楽曲の主旋律のピッチ基準条件と、マイク３４より入力されてくる歌唱データをＡ／Ｄ変換部４８でデジタル変換したデジタル歌唱データから抽出した歌唱ピッチとを上記採点テーブルを参照して比較し、これを例えば１小節ごとの区間毎の比較した結果の得点として例えば平均することにより採点結果とするものである。
【００３２】
上記リクエスト曲目利用者別特定手段５１は、利用者別に、上記取得したパーソナル曲目のうちの登録リクエスト楽曲リスト５７（図３で説明する）に存在する楽曲を抽出してリストを選曲可能に作成し、ＲＡＭ４４の利用者別情報記憶部５５にリクエストリスト５５Ｂとして記憶させるプログラムである。また、リクエスト曲目利用者別特定手段５１は、利用者別のリクエストリスト５５Ｂに、利用者間で重複しているものがあって何れかの利用者が選曲した場合には、当該選曲された楽曲は重複した利用者のリクエストリスト５５Ｂより削除する機能をも備える（図５等で説明する）。なお、リクエスト曲目利用者別特定手段５１は、図８〜図１０で示すように、ホスト装置１１より送出されてきたパーソナル曲目（楽曲ＩＤ、歌唱採点値）のうち、所定の条件における曲目を抽出するプログラムをも備える。
【００３３】
上記利用者情報取得手段５２は、遠隔入出力端末３６より送信されてきた利用者ＩＤに基づき後述の送受信部５３Ｂ、通信ネットワーク１２を介してホスト装置１１の利用者ＤＢ２３より利用者情報を取得し、当該利用者ＩＤに関連付けて後述のＲＡＭ４４の利用者別情報記憶部５５に記憶させるプログラムである。利用者情報とは、例えば図１（Ｃ）で示すニックネーム、イメージ（顔写真等）の基本的利用者情報の他に、パーソナル曲目（楽曲ＩＤ、歌唱採点値）を附帯させたものである。なお、利用者別情報記憶部５５に記憶させる情報を遠隔入出力端末３６の図示しないＲＡＭにも記憶させることとしてもよい。
【００３４】
上記送受信部５３Ａは、遠隔入出力端末３６との間で有線方式ないし無線方式（ＩＲ方式やブルートゥース機構のピコネット接続方式など）を利用してデータ授受を行うためのもので、そのための電子回路及びプログラムである。上記送受信部５３Ｂは、上記ホスト装置１１と上記通信ネットワーク１２を介してデータ授受を行うためのもので、通信方式と整合性をとるための例えば物理的な通信用回路やプラットフォーム等のソフトウエアにより構成されるものである。
【００３５】
上記演奏ログ処理手段５４は、利用者（利用者ＩＤ）がこのカラオケ演奏装置３１で歌唱した楽曲ＩＤ、歌唱採点をＲＡＭ４４の演奏ログ記憶部５８に一旦記憶しておき、例えばその都度、若しくは当該利用者のログアウト時、若しくは所定期間毎（１日単位等）に利用者別情報記憶部５５に記憶した対応の利用者ＩＤの歌唱履歴（歌唱採点値を含む）を更新してホスト装置１１に送出し、当該利用者ＤＢ２３の内容を更新させるためのプログラムである。なお、上記演奏ログ記憶部５８に記憶させる演奏ログを、遠隔入出力端末３６の図示しないＲＡＭにも記憶させることとしてもよい。
【００３６】
なお、ＲＡＭ４４に形成される予約待ち行列５６は、中央制御部４２が利用者により選曲された楽曲ＩＤを予約順に記憶させていくデータであり、選曲した利用者の情報を附帯させて記憶させてもよい。
【００３７】
また、図示しないが、当該カラオケ演奏装置３１には、利用者が楽曲番号を直接入力したり、演奏楽曲のテンポや、歌唱音声に対する種々の調節を行うためのボタンやツマミ類が可変抵抗器等の電子素子に直結された操作パネルも接続される。ところで、カラオケ演奏端末１３をスタンドアローンのカラオケシステムとして適用させる場合には上記利用者ＤＢ２３を備えさせる構成とすることにより実現することができるものである。
【００３８】
ここで、図３に、図２のカラオケ演奏端末における登録リクエスト楽曲リストの説明図を示す。図３に示す登録リクエスト楽曲リスト５７は、上述のように遠隔入出力端末３６のリクエスト楽曲登録手段３８Ａが、所定の利用者が不特定の利用者に対してリクエストした楽曲をリストとして作成するもので、リクエスト楽曲選曲手段３８Ｂによってリクエストされた楽曲ＩＤに選曲状態のフラグ（図では、「○」、「×」として説明する）が附帯されるものである。この選曲状態は、「○」が選曲可能な楽曲を意味し、「×」は既に予約待ち行列５６に登録されて選曲不能な楽曲を意味する。
【００３９】
すなわち、リクエスト楽曲選曲手段３８Ｂは、選曲されて予約待ち行列５６に登録されたリクエスト楽曲を選曲不能（「×」）に変更し、ＲＡＭ４４に記憶された登録リクエスト楽曲リスト５７をその都度更新する。なお、中央制御部４２が、予約待ち行列５６に登録されたリクエスト楽曲が演奏されると、当該登録リクエスト楽曲リスト５７より当該楽曲（楽曲ＩＤ、選曲状態フラグ）を削除するもので、当該演奏毎にＲＡＭ４４に記憶された登録リクエスト楽曲リスト５７をその都度更新するものである。
【００４０】
そこで、図４に図２のカラオケ演奏端末におけるリクエスト曲目利用者別特定手段におけるリクエスト楽曲報知処理の第１実施形態の処理フローチャートを示し、図５に図４における対象者別リクエストリストの説明図、図６に図４における作成した対象者別リクエストリストの表示形態の説明図、図７に図４における選曲後の対象者別リクエストリスト及び登録リクエスト楽曲リストの説明図を示す。ここでは、所定の利用者より不特定の利用者に対してリクエスト楽曲が登録され、図３に示す登録リクエスト楽曲リスト５７がＲＡＭ４４に記憶されていることを前提としている。
【００４１】
図４（Ａ）はリクエスト曲目対象者別特定手段５７によるリクエストリストの作成を示したもので、図４（Ｂ）は遠隔入出力端末３６のリクエスト楽曲選曲手段３８Ｂによる選曲等を示したものである。
【００４２】
図４（Ａ）において、リクエスト曲目利用者別特定手段５１が、利用者別に、ＲＡＭ４４の利用者別情報記憶部５５のパーソナル曲目５５Ａを参照して、登録リクエスト楽曲リスト５７に存在するリクエスト楽曲を抽出し（ステップ（Ｓ）１）、利用者別に、抽出された楽曲で選曲可能にリクエストリスト５５Ｂを作成してＲＡＭ４４に記憶するものである（Ｓ２）。
【００４３】
例えば、図５に示すように、利用者Ａ〜利用者Ｃがシステムログインし、各利用者のパーソナル曲目（ここでは、楽曲ＩＤのみで充分である）５５ＡがＲＡＭ４４の利用者別情報記憶部５５に記憶されているものとした場合、利用者別のパーソナル曲目の楽曲のうち、図３に示すような登録リクエスト楽曲リスト５７に存在する楽曲を抽出してそれぞれのリクエストリスト５５Ｂが作成されて記憶される。図では、例えば利用者Ａのリクエストリスト５５Ｂは「＊＊＊ａ」、「＊＊＊ｄ」が抽出され、利用者Ｂのリクエストリスト５５Ｂは「＊＊＊ａ」、「＊＊＊ｆ」、「＊＊＊ｇ」が抽出され、利用者Ｃのリクエストリスト５５Ｂは「＊＊＊ａ」、「＊＊＊ｂ」、「＊＊＊ｉ」、「＊＊＊ｈ」が抽出された場合として示している。
【００４４】
そこで、図４（Ｂ）において、所定の利用者による自己の利用者別リクエストリストの表示要求があると、これに応じてリクエスト楽曲選曲手段３８Ｂが、上記作成された当該利用者のリクエストリスト５５Ｂを端末表示部４０に表示する（Ｓ１１）。例えば、図６に示すように、利用者Ａより表示要求があった場合、利用者Ａの個別楽曲リストとして、タブ形式のパーソナル曲目、リクエストリストが選択的に表示され、リクエストリストのタブにおいて他者からのリクエスト楽曲（「＊＊＊ａ」、「＊＊＊ｄ」）が選曲可能に表示されるものである。
【００４５】
そして、表示された自己のリクエストリスト５５Ｂからの所定楽曲（例えば、「＊＊＊ａ」）について選曲されると、リクエスト楽曲選曲手段３８Ｂは当該楽曲をカラオケ演奏装置３１に送信してＲＡＭ４４の予約待ち行列５６に登録すると共に、全部の利用者別リクエストリスト５５Ｂから当該予約登録された楽曲を削除し、また、登録リクエスト楽曲リスト５７の当該楽曲に対する選曲状態を選曲不能状態に変更して更新する（Ｓ１２）。
【００４６】
例えば、楽曲「＊＊＊ａ」が選曲された場合、図７（Ａ）に示すように、利用者Ａ〜Ｂの全部の利用者別リクエストリスト５５Ｂより楽曲「＊＊＊ａ」が削除され、また、図７（Ｂ）に示すように、登録リクエスト楽曲リスト５７の楽曲「＊＊＊ａ」に対する選曲状態を折曲不能状態「×」に変更して更新する。
【００４７】
そして、中央制御部４２が予約待ち行列５６にしたがって予約待ち順に演奏を開始させ、当該楽曲「＊＊＊ａ」が演奏されると（Ｓ１３）、演奏された楽曲「＊＊＊ａ」を当該当該予約待ち行列５６より削除すると共に、図７（Ｃ）に示すように、登録リクエスト楽曲リスト５７より当該楽曲「＊＊＊ａ」を削除するものである（Ｓ１４）。
【００４８】
このように、不特定の利用者に対して歌唱してもらいたい楽曲をリクエスト曲として正確かつ容易に報知させることができるものである。
【００４９】
次に、図８に、図２のカラオケ演奏端末におけるリクエスト曲目利用者別特定手段におけるリクエストリスト作成の第２実施形態の説明図を示す。図８（Ａ）において、カラオケ演奏装置３１のリクエスト曲目利用者別特定手段５１が基準値クリア判定手段６１を備えるもので、当該基準値クリア判定手段６１は、基準値が予め設定されるもので、例えば「９０点」に設定されているものとして説明する。
【００５０】
そして、当該リクエスト曲目利用者別特定手段５１は、利用者別にパーソナル曲目のうちの登録リクエスト楽曲リスト５７に存在する楽曲を抽出するに際して、歌唱採点の採点値が基準値クリア判定手段６１で設定された基準値（９０点）以上の楽曲を抽出してリクエストリスト５５Ｂを選曲可能に作成するものである。
【００５１】
例えば、図８（Ｂ）に示すように、利用者Ａ〜Ｃの各パーソナル曲目５５Ａにおいて、登録リクエスト楽曲リスト５７に存在し、かつ、歌唱採点値が９０点以上の楽曲として、利用者Ａのリクエストリスト５５Ｂは「＊＊＊ａ」、「＊＊＊ｄ」が抽出され、利用者Ｂのリクエストリスト５５Ｂは「＊＊＊ａ」、「＊＊＊ｇ」が抽出され、利用者Ｃのリクエストリスト５５Ｂは「＊＊＊ａ」、「＊＊＊ｂ」、「＊＊＊ｈ」が抽出されるものである。
【００５２】
このように構成することにより、歌唱してもらいたい楽曲をリクエスト曲として歌唱能力の高い不特定の利用者に対して正確かつ容易に報知させることができるものである。
【００５３】
次に、図９に、図２のカラオケ演奏端末におけるリクエスト曲目利用者別特定手段におけるリクエストリスト作成の第３実施形態の説明図を示す。図９（Ａ）において、カラオケ演奏装置３１のリクエスト曲目利用者別特定手段５１が最高値判断手段６２を備えるもので、当該最高値判断手段６２は、全部の利用者（Ａ〜Ｃ）間における重複した楽曲の歌唱採点の採点値のうち、最高値の利用者から当該楽曲を判断するプログラムである。
【００５４】
そして、当該リクエスト曲目利用者別特定手段５１は、パーソナル曲目のうちの登録リクエスト楽曲リスト５７に存在する楽曲を抽出するに際して、対象とされる楽曲が全部の利用者（Ａ〜Ｃ）間で重複する場合に上記最高値判断手段６２が判断した歌唱採点の最高値の利用者から当該楽曲を抽出してリクエストリスト５５Ｂを選曲可能に作成するものである。
【００５５】
リクエスト曲目利用者別特定手段５１において、例えば、図９（Ｂ）に示すように、利用者Ａ〜Ｃの各パーソナル曲目５５Ａにおいて、登録リクエスト楽曲リスト５７に存在する楽曲のうち、各利用者Ａ〜Ｃで抽出された楽曲「＊＊＊ａ」が重複したときに、最高値判断手段６２が歌唱採点の最高値となる利用者Ａの楽曲「＊＊＊ａ」と判断することにより、登録リクエスト楽曲リスト５７において当該楽曲「＊＊＊ａ」については利用者Ａから抽出対象とされるものである。
【００５６】
このように構成することにより、不特定の利用者に対して歌唱してもらいたい楽曲をリクエスト曲として重複を回避させて正確かつ容易に報知させることができるものである。
【００５７】
次に、図１０に、図２のカラオケ演奏端末におけるリクエスト曲目利用者別特定手段におけるリクエストリスト作成の第４実施形態の説明図を示す。図１０（Ａ）において、カラオケ演奏装置３１のリクエスト曲目利用者別特定手段５１が上述した基準値クリア判定手段６１及び最高値判断手段６２を備えるものである。
【００５８】
そして、当該リクエスト曲目利用者別特定手段５１は、利用者別にパーソナル曲目のうちの登録リクエスト楽曲リスト５７に存在する楽曲を抽出するに際して、歌唱採点の採点値が基準値クリア判定手段６１で設定された基準値（９０点）以上であり、かつ、対象とされる楽曲が全部の利用者（Ａ〜Ｃ）間で重複する場合に上記最高値判断手段６２が判断した歌唱採点の最高値の利用者から当該楽曲を抽出してリクエストリスト５５Ｂを選曲可能に作成するものである。
【００５９】
リクエスト曲目利用者別特定手段５１において、例えば、図１０（Ｂ）に示すように、利用者Ａ〜Ｃの各パーソナル曲目５５Ａにおいて、登録リクエスト楽曲リスト５７に存在し、かつ、歌唱採点値が９０点以上の楽曲として、利用者Ａのリクエストリスト５５Ｂは「＊＊＊ａ」、「＊＊＊ｄ」が抽出され、利用者Ｂのリクエストリスト５５Ｂは「＊＊＊ａ」、「＊＊＊ｇ」が抽出され、利用者Ｃのリクエストリスト５５Ｂは「＊＊＊ａ」、「＊＊＊ｂ」、「＊＊＊ｈ」が抽出され、そのうち、各利用者Ａ〜Ｃ間で重複した楽曲「＊＊＊ａ」に対して最高値判断手段６２が歌唱採点の最高値となる利用者Ａの楽曲「＊＊＊ａ」と判断することにより、登録リクエスト楽曲リスト５７において当該楽曲「＊＊＊ａ」については利用者Ａから抽出対象とされるものである。
【００６０】
このように構成することにより、歌唱してもらいたい楽曲をリクエスト曲として重複を回避させて歌唱能力の高い不特定の利用者に対して正確かつ容易に報知させることができるものである。
【産業上の利用可能性】
【００６１】
本発明のリクエスト曲報知機能を備えるカラオケシステムは、カラオケの基本的機能を備えるカラオケ装置の分野に利用可能である。
【図面の簡単な説明】
【００６２】
【図１】本発明に係るカラオケシステムの系統構成図である。
【図２】本発明のカラオケシステムに係るカラオケ演奏端末のブロック構成図である。
【図３】図２のカラオケ演奏端末における登録リクエスト楽曲リストの説明図である。
【図４】図２のカラオケ演奏端末におけるリクエスト曲目利用者別特定手段におけるリクエスト楽曲報知処理の第１実施形態の処理フローチャートである。
【図５】図４における対象者別リクエストリストの説明図である。
【図６】図４における作成した対象者別リクエストリストの表示形態の説明図である。
【図７】図４における選曲後の対象者別リクエストリスト及び登録リクエスト楽曲リストの説明図である。
【図８】図２のカラオケ演奏端末におけるリクエスト曲目利用者別特定手段におけるリクエストリスト作成の第２実施形態の説明図である。
【図９】図２のカラオケ演奏端末におけるリクエスト曲目利用者別特定手段におけるリクエストリスト作成の第３実施形態の説明図である。
【図１０】図２のカラオケ演奏端末におけるリクエスト曲目利用者別特定手段におけるリクエストリスト作成の第４実施形態の説明図である。
【符号の説明】
【００６３】
１１            ホスト装置
１３            カラオケ演奏端末
２３            利用者ＤＢ
３１            カラオケ演奏装置
３６            遠隔入出力端末
３８Ａ          リクエスト楽曲登録手段
３８Ｂ          リクエスト楽曲選曲手段
５０            採点処理手段
５１            リクエスト曲目利用者別特定手段
５５Ａ          パーソナル曲目
５５Ｂ          リクエストリスト
５６            予約待ち行列
５７            登録リクエスト楽曲リスト
６１            基準値クリア判定手段
６２            最高値判断手段
【図１】
0005072620.tif 000002
【図２】
0005072620.tif 000003
【図３】
0005072620.tif 000004
【図４】
0005072620.tif 000005
【図５】
0005072620.tif 000006
【図６】
0005072620.tif 000007
【図７】
0005072620.tif 000008
【図８】
0005072620.tif 000009
【図９】
0005072620.tif 000010
【図１０】
0005072620.tif 000011